(57)【要約】【課題】２つ以上の商品販売コンテストを通じて行われるショッピングモールの提供方法及び前記ショッピングモールを提供するためのサーバーシステムの提供。【解決手段】本発明のショッピングモールの提供方法は，多者間商品販売コンテストの申請を受け付ける段階，前記受け付けられた多者間商品販売コンテストの申請により多者間商品販売の競合状況が成立すると，多者間商品販売を進行する段階，前記多者間商品販売の一定時間の経過後，販売実績を考慮して販売結果を分析する段階，前記分析された販売結果に基づいて前記複数販売者の商品販売順位を選定する段階，及び前記複数販売者の商品を購買した購買者に，前記選定された商品販売順位に対応するように恩恵を差等的に与える段階を含むショッピングモールの提供方法に関する。  【選択図】  図３
2010277569.tif 000002
【特許請求の範囲】
【請求項１】
商品販売コンテストの申請を受け付ける段階；  
前記受け付けられた商品販売コンテストの申請により商品販売の競合状況が成立して商品販売が進行すると，一定時間の経過後，販売実績を考慮したコンテスト結果を分析する段階；
前記分析されたコンテスト結果に基づいて勝利販売者を選定する段階；及び，
前記選定された勝利販売者の商品を購買した購買者に恩恵を与える段階を含むショッピングモールの提供方法。  
【請求項２】
前記商品販売の競合状況は，１：１競合状況または多者間競合状況であることを特徴とする請求項１記載のショッピングモールの提供方法。
【請求項３】
前記ショッピングモールの提供方法は，
前記競合状況が多者間コンテストである場合，
前記販売実績を考慮して複数販売者の販売順位を選定する段階；及び，
前記複数販売者の商品を購買した購買者に，前記選定された販売順位に対応するように恩恵を差等的に与える段階をさらに含むことを特徴とする請求項２記載のショッピングモールの提供方法。
【請求項４】
前記購買者に与えられる恩恵は，マイレージ及び積立金の積立，割引適用，クーポン提供の少なくとも一つを含むことを特徴とする請求項１記載のショッピングモールの提供方法。
【請求項５】
前記選定された勝利販売者に所定の勝利ボーナスを支給する段階をさらに含むことを特徴とする請求項１記載のショッピングモールの提供方法。  
【請求項６】
前記勝利販売者に支給される勝利ボーナスは，商品販売手数料の引下げ及び広告優先権の少なくとも一つを含むことを特徴とする請求項５記載のショッピングモールの提供方法。
【請求項７】
前記商品販売のコンテスト結果を自動連結された特定媒体を通じて広告する段階をさらに含むことを特徴とする請求項１記載のショッピングモールの提供方法。  
【請求項８】
前記特定媒体は，ＴＶホームショッピング，ＩＰＴＶ，インターネットＵＣＣ，及び言論社サーバーの少なくとも一つを含むことを特徴とする請求項７記載のショッピングモールの提供方法。
【請求項９】
前記コンテスト結果を別途に構築されたデータベースにアップデートする段階をさらに含むことを特徴とする請求項１記載のショッピングモールの提供方法。  
【請求項１０】
前記ショッピングモールは，
有／無線インターネットショッピング，ＩＰＴＶショッピング，及びＴＶホームショッピングの少なくとも一つで提供されることを特徴とする請求項１記載のショッピングモールの提供方法。  
【請求項１１】
商品販売コンテストの申請が受け付けられ，前記受け付けられた商品販売コンテストの申請により商品販売の競合状況が成立して商品販売が進行すると，一定時間の経過後に，販売実績を考慮したコンテスト結果を分析し，前記分析されたコンテスト結果に基づいて勝利販売者を選定し，前記選定された勝利販売者の商品を購買した購買者に恩恵を与える制御部；及び，
前記商品販売の競合状況をリアルタイムで表示するディスプレイ部を含んで構成されるショッピングモールのサーバーシステム。
【請求項１２】
前記商品販売の競合状況は，１：１競合状況または多者間競合状況であることを特徴とする請求項１１記載のショッピングモールのサーバーシステム。  
【請求項１３】
前記競合状況が多者間コンテストである場合，
前記制御部は，前記販売実績を考慮して複数販売者の販売順位を選定し，前記複数販売者の商品を購買した購買者に，前記選定された販売順位に対応するように恩恵を差等的に与えることを特徴とする請求項１２記載のショッピングモールのサーバーシステム。
【請求項１４】
前記制御部は，前記購買者にマイレージ及び積立金の積立，割引適用，クーポン提供の少なくとも一つを含む恩恵を与えることを特徴とする請求項１１記載のショッピングモールのサーバーシステム。
【請求項１５】
前記制御部は，前記選定された勝利販売者に所定の勝利ボーナスを支給することを特徴とする請求項１１記載のショッピングモールのサーバーシステム。
【請求項１６】
前記制御部は，前記選定された勝利販売者に商品販売手数料の引下げ及び広告優先権の少なくとも一つを含む勝利ボーナスを支給することを特徴とする請求項１５記載のショッピングモールのサーバーシステム。  
【請求項１７】
前記ショッピングモールのサーバーシステムは，通信部をさらに含むが，
前記通信部は，前記制御部の制御により，前記商品販売のコンテスト結果を広告するために特定媒体と自動的に連結されることを特徴とする請求項１１記載のショッピングモールのサーバーシステム。
【請求項１８】
前記特定媒体は，ＴＶホームショッピング，ＩＰＴＶ，インターネットＵＣＣ，及び言論社サーバーの少なくとも一つを含むことを特徴とする請求項１７記載のショッピングモールのサーバーシステム。
【請求項１９】
前記ショッピングモールのサーバーシステムは，データベース部をさらに含むが，
前記データベース部は，前記制御部の制御により，前記コンテスト結果をアップデートすることを特徴とする請求項１１記載のショッピングモールのサーバーシステム。
【請求項２０】
前記ショッピングモールは，
有／無線インターネットショッピング，ＩＰＴＶショッピング，及びＴＶホームショッピングの少なくとも一つで提供されることを特徴とする請求項１１記載のショッピングモールのサーバーシステム。
【発明の詳細な説明】
【技術分野】
【０００１】
本発明は，ショッピングモールの提供方法において，特にゲーム型ショッピングモールの提供方法およびそのためのショッピングモールの提供サーバーシステムに関する。
【背景技術】
【０００２】
近年，インターネットに対する関心が爆発的に増加している勢いである。このような急速な成長により，インターネットは単純なコミュニケーションの補助道具ではない，営利追求を目的とする商業的活動舞台の一つとして発展しつつある勢いである。そこで，インターネット通信及び電子商取引の発展に伴い，インターネットショッピングモールが急激に登場している。
【先行技術文献】
【特許文献】
【０００３】
【特許文献１】なし
【非特許文献】
【０００４】
【非特許文献１】なし
【発明の概要】
【発明が解決しようとする課題】
【０００５】
本発明の目的は，少なくとも２つ以上の商品販売コンテストを通じて行われるショッピングモールの提供方法及びそのためのショッピングモールの提供サーバーシステムを提供することである。
【課題を解決するための手段】
【０００６】
前記目的を達成するための本発明は，商品販売コンテストの申請を受け付ける段階；前記受け付けられた商品販売コンテストの申請により商品販売の競合状況が成立して商品販売が進行すると，一定時間の経過後，販売実績を考慮したコンテスト結果を分析する段階；前記分析されたコンテスト結果に基づいて勝利販売者を選定する段階；及び前記選定された勝利販売者の商品を購買した購買者に恩恵を与える段階を含むショッピングモールの提供方法を提供する。
【０００７】
前記目的を達成するための本発明は，商品販売コンテストの申請が受け付けられ，前記受け付けられ商品販売コンテストの申請により商品販売の競合状況が成立して商品販売が進行すると，一定時間の経過後に販売実績を考慮したコンテスト結果を分析し，前記分析されたコンテスト結果に基づいて勝利販売者を選定し，前記選定された勝利販売者の商品を購買した購買者に恩恵を与える制御部；及び前記商品販売の競合状況をリアルタイムで表示するディスプレイ部を含むショッピングモールのサーバーシステムを提供する。
【発明の効果】
【０００８】
以上にて説明したように，本発明の一実施例によるショッピングモールの提供方法及びそのためのサーバーシステムは，少なくとも２以上の販売者の商品販売コンテストを進行し，前記商品販売コンテストで選定された勝利販売者の商品を購買した購買者に別途の恩恵を与えることにより，上記購買者の積極的な購買を誘導することができる。
【図面の簡単な説明】
【０００９】
【図１】本発明の一実施例によるショッピングモールの提供システムの構成を概略的に示す構成図。
【図２】本発明の一実施例によるショッピングモールのサーバーシステムの構成を概略的に示す構成図。
【図３】本発明の一実施例によるショッピングモールの提供方法の動作を概略的に示すフローチャート。
【図４】本発明の一実施例によるカテゴリ別の商品販売の競合状況を概略的に示す図。
【図５】本発明の一実施例による挑戦状形式の商品販売コンテストの申請画面を示す例示図。
【図６】本発明の一実施例による推薦者による商品販売コンテストの申請画面を示す例示図。
【図７】本発明の一実施例による１：１商品販売の競合状況を示す例示図。
【図８】本発明の一実施例による販売商品の詳細を見ることを示す例示図。
【図９】本発明の一実施例による商品販売情報を交換するコミュニティーを示す例示図。
【図１０】本発明の一実施例による商品販売のコンテスト結果を示す例示図。
【図１１】本発明の一実施例による商品販売コンテストの記録を管理する画面を示す例示図。
【図１２】本発明の一実施例による商品販売コンテストをリアルタイムで生中継する画面を示す例示図。
【図１３】本発明の一実施例による個人別のコンテスト記録の管理画面を示す例示図。
【図１４】本発明の一実施例によるＴＶホームショッピングにおける１：１商品販売のコンテスト放送画面を示す例示図。
【図１５】本発明の一実施例によるインターネットショッピングモールにおける多者間商品販売のコンテスト放送画面を示す例示図。
【図１６】本発明の一実施例によるＴＶホームショッピングにおける多者間商品販売のコンテスト放送画面を示す例示図。
【発明を実施するための形態】
【００１０】
本発明の別の目的，特徴及び利点は，添付する図面を参照した実施例の詳細な説明により明らかになる。
【００１１】
以下，前記目的を具体的に実現できる本発明の好適な実施例を添付する図面を参照して説明する。このとき，図面に図示され，またこれにより説明される本発明の構成と作用は少なくとも一つの実施例として説明されるものであり，これにより本発明の技術的思想とその核心構成及び作用が制限されるものではない。
【００１２】
本発明で使用される用語は，本発明における機能を考慮しながら可能な限り現在広く使用される一般的な用語を選択したが，これは当分野で従事する技術者の意図または慣例，新しい技術の出現などにより変わり得る。また，特定な場合は，出願人が任意に選定した用語もあり，この場合に該当される発明の説明部分で詳細にその意味を記載する。従って，本発明で使用される用語は単純な用語の名称ではない，その用語の持つ意味と本発明の全般に亘る内容を基に定義されなければならないことを明らかにする。
【００１３】
明細書における「ショッピングモール」とは，無店舗方式で商品を陳列して販売する商家を意味する。前記ショッピングモールは，コンピューター通信網の仮想世界で具現されるインターネットショッピングモールを含むことができる。また，前記ショッピングモールは，放送ケーブル或いは電話線などを通じて具現されるホームショッピングを含むことができる。
【００１４】
本明細書における「商品販売の競合状況」とは，商品販売コンテストの申請及び前記申請受諾により成立するショッピングモールの運営方式である。前記商品販売の競合状況は，販売者が，第１，第２販売者の１：１の商品販売の競合状況及び少なくとも３以上の複数販売者間（本明細書において「多者間」という）において行われる商品販売の競合状況を含むことができる。前記１：１商品販売の競合状況の場合，前記競合状況により進行された販売者の１：１商品販売結果を分析して勝利販売者を選定することができる。そして，前記勝利販売者及び前記勝利販売者の商品を購買した購買者に勝利ボーナスなどの各種恩恵を提供することができる。一方，前記多者間商品販売の競合状況の場合，前記競合状況により進行された複数販売者の商品販売結果を分析して商品販売順位を選定することができる。そして，前記販売者及び前記販売者の商品を購買した購買者に，前記販売者の商品販売順位と対応する恩恵を差等的に与えることができる。
【００１５】
図１は，本発明の一実施例によるショッピングモールの提供システムの構成を概略的に示す構成図である。まず，１：１商品販売コンテスト方式を実施例として説明し，多者間商品販売コンテスト方式のショッピングモールに対しては後述する。
【００１６】
図１に示すように，本発明に係るショッピングモールの提供システムは，第１販売者（１１０），第２販売者（１２０），推薦者（１３０），サーバー（１４０），購買者（１５０），及び媒体（１６０）を含んで構成され得る。
【００１７】
前記第１販売者（１１０）及び前記第２販売者（１２０）は，ショッピングモールに商品またはサービスを販売する販売者であり得る。前記第１販売者（１１０）及び前記第２販売者（１２０）は，前記サーバー（１４０）にそれぞれ販売コンテスト申請を受け付けることができる。例えば，前記第１販売者（１１０）が前記サーバー（１４０）に販売コンテスト申請を受け付ける。このとき，前記第１販売者（１１０）は，前記サーバー（１４０）に販売コンテストを進行したい相手方のブランド名或いは販売商品の種類を知らせることができる。前記サーバー（１４０）は，前記知らされたブランド名或いは販売商品の種類を根拠に，前記第１販売者（１１０）から申請された販売コンテストのための相手方を検索することができる。このとき，前記販売コンテストのための相手方に前記第２販売者（１２０）が検索されると，前記サーバー（１４０）は，前記第２販売者（１２０）に前記第１販売者（１１０）から申請された商品販売コンテストを提案することができる。この後，前記第２販売者（１２０）から前記商品販売コンテストが承諾されると，前記第１販売者（１１０）及び前記第２販売者（１２０）は商品販売コンテストを進行することができる。
【００１８】
一方，前記商品販売コンテストの申請は推薦者（１３０）により行われ得る。前記推薦者（１３０）は，前記サーバー（１４０），前記購買者（１５０）及び一般顧客を含むことができる。例えば，前記購買者（１５０）が前記サーバー（１４０）に，前記第１販売者（１１０）と前記第２販売者（１２０）の商品販売コンテストを推薦することができる。前記第１販売者（１１０）及び前記第２販売者（１２０）は，競争ブランドの商品或いは類似する仕様の商品を販売する販売者であり得る。この後，前記サーバー（１４０）が前記第１販売者（１１０）及び前記第２販売者（１２０）に前記推薦された商品販売コンテストを提案する。そして，前記第１販売者（１１０）及び前記第２販売者（１２０）から前記商品販売コンテストが受諾されると，前記商品販売コンテストを進行させる。このとき，前記サーバー（１４０）は前記購買者（１５０）から推薦された商品販売コンテストに対する賛／反投票をさらに実施し，前記投票結果を参照して前記商品販売コンテストの進行可否を決定することができる。このとき，前記競合状況は多者間商品販売の競合状況をさらに含むことができる。例えば，前記第１販売者（１１０）及び前記第２販売者（１２０）の他にも，第３販売者及び第４販売者をさらに追加して多者間商品販売の競合状況を具現することができる。
【００１９】
前記サーバー（１４０）は，前記第１販売者（１１０）と前記第２販売者（１２０）の販売コンテストを仲裁することができる。前記サーバー（１４０）は，前記媒体（１６０）を通じて販売コンテスト状況をリアルタイムで中継することができる。また，前記サーバー（１４０）は，前記販売コンテスト結果を特定媒体（１６０）に転送して広告することができる。このとき，前記特定媒体（１６０）は，ＴＶホームショッピング，ＩＰＴＶ（Internet Protocol Television），インターネットＵＣＣ（User Created Contents），言論社サーバーなどを含むことができる。前記特定媒体はオンライン及びオフラインを通じて具現され得る。
【００２０】
従って，第一，前記第１販売者（１１０）が販売コンテストしたい前記第２販売者（１２０）のブランド及び商品を前記サーバー（１４０）に提案し，前記サーバー（１４０）を通じて前記第２販売者（１２０）の受諾がなされる場合，前記商品販売コンテストが行われるため，前記第１販売者（１１０）と前記第２販売者（１２０）の意見がすべて反映できるという長所がある。第二，前記サーバー（１４０），購買者（１５０）或いは一般顧客（ネチズン）により少なくとも２つ以上の希望企業或いはブランドが推薦されると，前記サーバー（１４０）が投票を通じて商品販売コンテストを成し遂げることができるため，顧客が直接参与できるという長所がある。  
【００２１】
前述のように，本発明によると，前記第１販売者（１１０）及び前記第２販売者（１２０）は，前記販売コンテスト結果に応じて前記媒体（１６０）を通じた広告収益を増加させることができる。そして，前記購買者（１５０）は，前記媒体（１６０）を通じて前記人気販売商品に対する情報の提供が受けられるという長所がある。
【００２２】
図２は，本発明の一実施例によるショッピングモールの提供サーバーの構成を概略的に示す構成図であり，図３は，本発明の一実施例によるショッピングモールの提供方法の動作を概略的に図示したフローチャートである。
【００２３】
図２に示すように，本発明に係るショッピングモールのサーバーシステムは，通信部（２１０），制御部（２２０），データベース部（２３０），及びディスプレイ部（２４０）を含んで構成され得る。
【００２４】
前記通信部（２１０）は，前記ショッピングモールのサーバー，販売者，及び購買者間の通信を支援することができる。前記通信部（２１０）は，商品販売コンテストが終了した後，商品販売のコンテスト結果を広告する特定媒体に自動的に連結され得る。このとき，前記通信部（２１０）を通じて連結される特定媒体は，ＴＶホームショッピング，ＩＰＴＶ，インターネットＵＣＣ，及び言論社サーバーなどを含むことができる。また，前記特定媒体はオンライン及びオフラインで使用される媒体を含むことができる。
【００２５】
前記制御部（２２０）は，商品販売コンテストの申請を受け付ける。そして，前記受け付けられた商品販売コンテストの申請により商品販売の競合状況が成立し，前記販売者及び購買者間の商品販売が進行されて一定時間が経過すると，前記制御部（２２０）は，前記商品販売コンテストのコンテスト結果を分析する。このとき，前記コンテスト結果は販売実績に応じて決定され得る。前記販売実績は総商品販売額または総商品注文額を含むことができる。そうすると，前記制御部（２２０）は，前記分析されたコンテスト結果を根拠に勝利販売者を選定することができる。そして，前記選定された勝利販売者に所定の勝利ボーナスを支給することができる。そして，前記制御部（２２０）は，前記ディスプレイ部（２４０）を通じて前記商品販売の競合状況をリアルタイムで表示するように制御できる。また，前記制御部（２２０）は，前記通信部を通じてＴＶホームショッピング，ＩＰＴＶ，インターネットＵＣＣなどの特定媒体に前記商品販売の競合状況をリアルタイムで中継することができる。  
【００２６】
前記データベース部（２３０）は，前記制御部（２２０）の制御によりアップデートされるコンテスト結果を保存することができる。従って，前記データベース部（２３０）に保存されたコンテスト結果を利用して販売者のコンテスト記録及び購買者の予期能力（betting ability）を把握することができる。
【００２７】
前記ディスプレイ部（２４０）は，前記制御部（２２０）の制御により前記商品販売の競合状況をリアルタイムで表示できる。従って，前記ディスプレイ部（２４０）を通じて前記商品販売の競合状況をリアルタイムで中継することができる。
【００２８】
以下，図２の本発明に係るショッピングモールの提供サーバーの構成を参照し，図３に図示された本発明に係るショッピングモールの提供方法を説明する。
【００２９】
図３を参照すると，まず，前記ショッピングモールの提供サーバーシステムの制御部（２２０）が商品販売コンテストの申請を受け付ける［Ｓ３１０］。前記ショッピングモールの提供サーバーシステムの制御部（２２０）は，第１販売者及び第２販売者を含む少なくとも２つ以上の販売者から商品販売コンテストの申請を直接受け付けることができる。また，購買者などの推薦者の提案により受け付けられるこもとあり得る。
【００３０】
前記受け付けにより販売競合状況が成立すると，前記制御部（２２０）は前記販売コンテストを進行するように制御する［Ｓ３２０，Ｓ３３０］。前記制御部（２２０）は，前記販売者間の販売方式，前記販売者と購買者との間の購買，入金，配送，ＡＳなどを仲裁することができる。そして，前記制御部（２２０）は，１：１競合状況で前記商品販売コンテストを進行することができる。また，前記制御部（２２０）は，１：１対抗戦を連続で実施したサバイバル連勝方式及びトーナメント方式などに前記競合状況を変更することができる。前記販売競合状況は，前記商品販売コンテストの申請の際に申請者により選択され得る。また，前記販売競合状況は，前記制御部（２２０）で基本的に提供されるショッピングモールの提供サーバーのフォーマットにより成立できる。このとき，前記商品競合状況は，ブランド，価格，種類，用途などの商品カテゴリにより成立できる。そして，前記制御部（２２０）は，前記競合現況をディスプレイ部（２５０）を通じてリアルタイムでディスプレイするように制御することができる。そして，前記制御部（２２０）は，前記通信部（２１０）に自動的に連結された特定媒体を通じて前記商品販売状況をリアルタイムで中継するように制御できる。前記特定媒体は，特定インターネットサイト，ＴＶホームショッピング，ＩＰＴＶ，インターネットＵＣＣなどを含むことができる。
【００３１】
この後，前記販売コンテスト進行の一定時間が経過すると，前記制御部（２２０）は，前記コンテスト結果を分析する［Ｓ３４０，Ｓ３５０］。このとき，前記コンテスト結果は総注文額または総販売額を根拠に算定され得る。
【００３２】
その後，前記制御部（２２０）は前記分析されたコンテスト結果に応じて，勝利販売者を選定し，前記勝利販売者の販売商品を購買した購買者に恩恵を与える［Ｓ３６０，Ｓ３７０］。このとき，前記制御部（２２０）が前記購買者に与える恩恵はマイレージ及び積立金の積立，割引（Discount），クーポン提供などを含むことができる。ちなみに，前記制御部（２２０）は，前記勝利販売者に勝利ボーナスをさらに提供することができる。前記勝利ボーナスは販売手数料の引下げ及び広告優先権などを含むことができる。このとき，前記１：１対抗戦，サバイバル連勝戦におけるコンテスト判定はＫＯ勝，判定勝ち，引き分けのいずれかで決定され得る。そして，トーナメント戦におけるコンテスト判定は，勝ち点，勝率などにより決定され得る。
【００３３】
この後，前記制御部（２２０）は，前記コンテスト結果及びボーナスの支給現況を前記データベース部（２３０）にアップデートする［Ｓ３８０］。このとき，前記データベース部（２３０）にアップデートされた前記コンテスト結果及びボーナスの支給現況はコンテスト記録管理に使用され得る。
【００３４】
そして，前記制御部（２２０）は，前記通信部（２１０）を通じて前記商品販売のコンテスト結果を自動的に連結された特定媒体を通じて広告するように制御できる。このとき，前記通信部（２１０）を通じて連結される特定媒体は，ＴＶホームショッピング，ＩＰＴＶ，インターネットＵＣＣ，及び言論社サーバーなどを含むことができる。また，前記特定媒体はオンライン及びオフラインで使用される媒体を含むことができる。前記通信部（２１０）は，超高速インターネット，無線インターネットなどを含む通信方式を支援することができる。
【００３５】
図４は，本発明の一実施例によるカテゴリ別の商品販売の競合状況を概略的に示す図面である。
【００３６】
図４に示すように，本発明に係る商品販売の競合状況はカテゴリ別に分けられる。例えば，前記１：１競合状況で商品販売を進行している第１販売者及び前記第２販売者以外に，第３販売者及び第４販売者をさらに追加して多者間商品販売コンテストを具現することができる。そして，前記多者間商品販売コンテストが一定時間経過すると，前記制御部（２２０）が前記商品販売結果を分析し，前記多者間商品販売コンテストを進行した複数販売者の販売順位を選定することができる。その後，前記制御部（２２０）は，前記複数販売者の販売商品を購買した購買者に，前記選定された複数販売者の商品販売順位に対応するように差等的に恩恵を与えることができる。
【００３７】
また，本発明に係る商品販売の競合状況はカテゴリ別に分けられる。例えば，前記カテゴリ別の商品販売の競合状況は，アイデア別，国家ブランド別，地域縁故別，価格代別，機能別などを含むことができる。前記商品販売カテゴリは，商品販売コンテストの申請の際に申請者により申請される内容に応じて決定され得る。また，前記商品販売カテゴリは，前記ショッピングモールの提供サーバーシステムの基本フォーマットにより決定され得る。
【００３８】
図５は，本発明の一実施例による挑戦状形式の商品販売コンテストの申請画面を示す例示図である。
【００３９】
図５に示すように，本発明に係る商品販売コンテストの申請は販売者により直接行われ得る。前記販売者は，挑戦状形式の申請書を通じて商品販売コンテストを申請することができる。例えば，前記挑戦状形式の商品販売コンテストの申請書は販売者により作成されるものであって，前記コンテスト方式を，商品を販売しようとする第１販売者が前記挑戦状に自分の名前（挑戦者名），商品名（挑戦商品），連絡先などを記載する。そして，前記第１販売者は，商品販売コンテストを希望するブランド或いはカテゴリの商品をさらに記載する。そうすると，前記商品販売コンテストを管理及び仲裁するショッピングモールの提供サーバーが，前記記載されたコンテストを希望するブランド或いはカテゴリに相応する商品を検索し，前記検索された商品を販売する第２販売者に商品販売コンテストの申請を提案する。そして，前記第２販売者の挑戦承諾可否に応じて前記商品販売の競合状況が成立できる。このとき，他の実施例として，前記第１販売者が前記挑戦状に自分の名前，商品名，連絡先のみを記載した場合，前記ショッピングモールの提供サーバーは，前記第１販売者の商品名によるカテゴリ及びブランドを直接分析し，前記第２販売者を検索することができる。
【００４０】
図６は，本発明の一実施例による推薦者による商品販売コンテストの申請画面を示す例示図である。
【００４１】
図６に示すように，本発明に係る商品販売コンテストの申請は推薦者の推薦により行われ得る。前記推薦者は，商品販売コンテストを希望する第１販売者自身であり得る。また，前記推薦者は，ショッピングモールの提供サーバー或いは顧客（購買者及び一般顧客）であり得る。例えば，前記ショッピングモールの提供サーバーは定期的に商品販売の競合状況に対する投票を実施することができる。そして，前記投票を通じて決定された商品販売構図で前記商品販売コンテストを進行することができる。このとき，前記商品販売の競合状況は，ブランド対抗戦，スター商品対抗戦または製品の種類別対抗戦を含むことができる。また，前記ショッピングモールの提供サーバーは，推薦者による商品販売のコンテスト推薦をリアルタイムで受信できる。従って，前記ショッピングモールの提供サーバーは，前記顧客により要請される複数商品に対する商品販売コンテストの申請を受け付けることができる。
【００４２】
図７は，本発明の一実施例による１：１商品販売の競合状況を示す例示図である。
【００４３】
図７に示すように，前記商品販売の競合状況は１：１競合状況で行われ得る。前記１：１商品販売の競合状況は商品カテゴリにより成立できる。前記１：１商品販売の競合状況のコンテスト結果は，判定勝ち，商品の早期売り切れの際に適用されるＫＯ勝，引き分けなどを含むことができる。前記コンテスト結果は総注文額または総販売額により区分され得るが，前記総注文額または前記総販売額に差のある場合は，判定勝ち，一つの商品が早期売り切れとなった場合はＫＯ勝，総注文額または総販売額が同一な場合は引き分けと判定できる。
【００４４】
そして，前記１：１商品販売の競合状況で選定された勝利販売者には勝利ボーナスを支給することができる。前記勝利販売者に支給される勝利ボーナスは，商品販売手数料の引下げ及び広告優先権などを含むことができる。例えば，前述のような判定結果，判定勝ちの場合は価格に比べて平均１％，ＫＯ勝の場合は３％などと，積立金の支給率または手数料の引下率を差別化して適用できる。また，ＫＯ負けした販売者の場合，特定期間の間，前記商品販売コンテストに参与できないようにペナルティーを賦課することもできる。  
【００４５】
また，前記勝利販売者の他にも，前記勝利販売者の商品を購買した購買者にも恩恵を与えるように具現できる。このとき，前記購買者に与えられる恩恵は，マイレージ及び積立金の積立，割引（Discount）適用，クーポン提供などを含むことができる。
【００４６】
そして，前述のような１：１対抗戦を数回実施して週別或いは月別の最終勝利販売者を選定することができる。そして，前記選定された最終勝利販売者には所定の追加ボーナスをさらに支給することができる。このとき，前記最終勝利販売者を選定するための方法で連勝コンテスト方式を採択することができる。前記連勝コンテスト方式は，トーナメント戦，サバイバル連勝戦などを含むことができる。また，前記コンテスト方式に敗者復活戦，リターンマッチの細部項目をさらに含むことができる。
【００４７】
図８は，本発明の一実施例による販売商品の詳細を見ることを示す例示図である。
【００４８】
図８に示すように，本発明に係る販売商品の詳細を見ることはアイコンをクリックすることによりすぐ実行され得る。例えば，１：１で進行されている商品販売コンテストの場合，‘紅コーナー商品を見る’をクリックすると，第１販売者の商品に対する詳細な説明が表示される。そして，‘青コーナー商品を見る’をクリックすると，第２販売者の商品に対する詳細な説明が表示される。このとき，前記アイコンの構成は，ショッピングモールの提供サーバーのフォーマットにより変更され得る。従って，ショッピングモールの提供サーバーを通じて商品を購買しようとする購買者は，簡単なボタンのクリックだけで前記製品に関連した詳細情報を参照することができるという長所がある。
【００４９】
図９は，本発明の一実施例による商品販売情報を交換するコミュニティーを示す例示図である。
【００５０】
図９に示すように，本発明に係るコミュニティーは商品販売情報を交換することができる。例えば，前記コミュニティーは，商品販売に対する問い合わせ事項または追加要請事項などが記入できる掲示板を含むことができる。また，前記掲示板に作成された文章にコメントなどをつけるように具現できる。そして，審判などのアイコンを設けて前記商品販売に対する不正行為などを取り締まり，悪意的な文章に対する警告状付与などのアクションをとることができる。従って，前記コミュニティーを通じて前記販売者と購買者との間の意見及び商品販売の交換が円滑に行われ得るという長所がある。また，審判の仲裁により公正な商品販売コンテストが行われ得る。
【００５１】
図１０は，本発明の一実施例による商品販売のコンテスト結果を示す例示図である。
【００５２】
図１０に示すように，本発明に係る商品販売のコンテスト結果は一つのページに表示できる。前記商品販売のコンテスト結果は，勝敗，コンテスト結果，コンテスト記録管理などを含むことができる。従って，顧客が希望するといつでも過去に行われた商品販売のコンテスト結果を参照することができるという長所がある。
【００５３】
図１１は，本発明の一実施例による商品販売コンテストの記録を管理する画面を示す例示図である。
【００５４】
図１１に示すように，本発明に係る商品販売のコンテスト記録管理は，顧客別，ブランド別，日付別のカテゴリに分けられる。前記記録管理は，商品販売のコンテスト結果及びボーナスの支給現況を含むことができる。そして，前記コンテスト記録を根拠に販売者別の優先順位を与えることができる。例えば，前記コンテスト記録管理を利用して多勝，ＫＯ，勝率などによる順位を選定し，前記選定された順位により広告及び広報順序，手数料の節減などの恩恵を優先的に与えることができる。
【００５５】
図１２は，本発明の一実施例による商品販売コンテストをリアルタイムで生中継する画面を示す例示図である。
【００５６】
図１２に示すように，本発明に係る商品販売のコンテスト状況は特定媒体を通じてリアルタイムで中継できる。このとき，特定媒体は特定インターネットサイト，ＴＶホームショッピング，ＩＰＴＶ，及びインターネットＵＣＣなどを含むことができる。従って，販売者及び購買者がＴＶまたはインターネットなどを通じてリアルタイムで前記商品販売コンテストを把握して参与できるという長所がある。また，前記媒体を通じて前記商品販売のコンテスト結果を広告することにより，広告効果を極大化することができるという長所がある。
【００５７】
図１３は，本発明の一実施例による個人別のコンテスト記録管理画面を示す例示図である。  
【００５８】
図１３に示すように，本発明に係るコンテスト記録管理画面は個人別に提供され得る。従って，販売者或いは購買者が自身のコンテスト記録を調べるためには，該当ウェブページに自身のＩＤでログインして該当コンテスト記録を確認することができる。このとき，前記ウェブページで提供されるコンテスト記録は，販売日付別或いは注文日付別に提供され得る。
【００５９】
図１４は，本発明の一実施例によるＴＶホームショッピングにおける１：１商品販売のコンテスト放送画面を示す例示図である。
【００６０】
図１４に示すように，本発明に係るＴＶホームショッピングを通じた商品販売コンテストは１：１競合状況で具現できる。前記ＴＶホームショッピングは生放送で進行できる。このとき，前記商品販売のコンテスト進行時間はホームショッピング企業との提携により変わり得る。
【００６１】
前記商品販売コンテストの申請は商品販売者により行われ得る。例えば，第１販売者が商品販売コンテストの申請の際に，販売コンテストを希望する第２販売者のブランド或いは商品をホームショッピングの運営者に提案できる。そうすると，前記ホームショッピングの運営者が前記受け付けられた商品販売コンテストの申請内容を，前記第２販売者に伝達する。この後，前記第２販売者から前記商品販売コンテスト申請が受諾されることにより，１：１商品販売コンテストが進行され得る。
【００６２】
一方，前記１：１商品販売コンテストの申請は，ホームショッピングの運営者或いは購買者（視聴者を含む）の推薦により行われ得る。例えば，前記ホームショッピングの運営者或いは購買者が２つのブランド或いは商品に対して商品販売コンテストを推薦することができる。そうすると，前記ホームショッピングの運営者が，前記推薦されたブランド或いは商品の販売者に前記商品販売コンテストを提案し，前記コンテストを提案された販売者から１：１商品販売コンテストが受諾されると，前記商品販売コンテストが進行できる。
【００６３】
そして，前記ＴＶホームショッピングを通じて具現される商品販売コンテストは，前記１：１販売競合状況で対抗戦を連続的に実施し，サバイバル連勝方式及びトーナメント方式などで具現され得る。このとき，前記商品販売のコンテスト結果は，総注文額または総販売額により区分され得る。例えば，前記商品販売のコンテスト結果は，前記総販売額に差のある場合は，判定勝ち，一つの商品が早期売り切れとなった場合はＫＯ勝，総注文額または総販売額が同一な場合は引き分けと判定できる。敗者復活戦，リターンマッチなどの項目をさらに含むことができる。
【００６４】
この後，前記１：１商品販売コンテストで選定された勝利販売者の商品を購買した購買者に恩恵を与えることができる。前記該当購買者に与えられる恩恵は，マイレージ及び積立金の積立，購買金額割引，クーポン提供などを含むことができる。ちなみに，前記勝利販売者にも勝利ボーナスを支給することができる。前記勝利販売者に支給される勝利ボーナスは，商品販売手数料の引下げ及び広告優先権などを含むことができる。そして，前記商品販売のコンテスト結果に応じて，前記購買者の積立金の積立率，前記販売者の手数料の引下率などを差別化して適用することができる。
【００６５】
また，前記ＴＶホームショッピングを通じた商品販売コンテストの場合，ショッピングホストが前記商品販売コンテストの進行及び仲裁を担当することができる。そして，それぞれの販売者がゲストとして参与し，ホームショッピングの進行時に，販売製品に対する詳細説明を提供することができる。
【００６６】
従って，本発明に係るＴＶホームショッピングを通じた商品販売コンテストは，購買者がリアルタイムで商品に対する情報及び商品販売の競合状況を把握し，参与できるという長所がある。
【００６７】
図１５は，本発明の一実施例によるインターネットショッピングにおける多者間商品販売のコンテスト放送画面を示す例示図である。
【００６８】
図１５に示すように，本発明に係る多者間商品販売コンテストはインターネットショッピングを通じて具現できる。
【００６９】
まず，前記多者間商品販売コンテストのための申請が受け付けられることにより，多者間商品販売の競合状況が成立すると，前記多者間商品販売の競合状況を成立した複数販売者が前記多者間商品販売を進行する。
【００７０】
そうすると，仲裁者が前記多者間商品販売の一定時間の経過後，販売実績を考慮して販売結果を分析する。前記仲裁者は，前記ＩＰＴＶ放送を管理するサーバーであり得る。また，前記仲裁者は，前記ＩＰＴＶを通じて放送される多者間商品販売コンテストを進行するショッピングホストであり得る。
【００７１】
この後，前記仲裁者が，前記分析された販売結果に基づいて前記複数販売者の商品販売順位を選定する。このとき，前記販売者の商品販売順位は，総注文額または総販売額を基準に選定できる。  
【００７２】
その後，前記仲裁者は，前記複数販売者の商品を購買した購買者に，前記選定された商品販売順位に対応するように恩恵を差等的に与えることができる。このとき，前記購買者に前記差等的に与えられる恩恵は，マイレージ及び積立金の積立，割引適用，クーポン提供などを含むことができる。
【００７３】
ちなみに，前記仲裁者は，商品販売順位に対応するように前記複数販売者に所定の勝利ボーナスを支給することができる。このとき，前記勝利ボーナスは，販売手数料の引下げ及び広告優先権などの恩恵などを含むことができる。例えば，前記選定された順位に応じて，前記順位に該当する販売者に商品販売手数料の引下げ及び広告優先権などの恩恵を支給することができる。反面，下位順位に該当する販売者には，一定期間の販売禁止，相対的に高い手数料率などのペナルティーを賦課することができる。
【００７４】
また，本発明に係る別の実施例により，前記多者間販売コンテストは，有／無線インターネットショッピング，ＩＰＴＶショッピング及びＴＶホームショッピングなどで具現され得る。前記無線インターネットショッピングの場合，携帯電話，ＰＤＡ（Personal
Digital Assistants），スマートフォン（Smart Phone），ネットブック（Net-book）などを含むモバイル機器を通じて具現され得る。
【００７５】
図１６は，本発明の一実施例によるＴＶホームショッピングにおける多者間商品販売のコンテスト放送画面を示す例示図である。
【００７６】
図１６に示すように，本発明に係る多者間商品販売コンテストは，ＴＶホームショッピングを通じて具現され得る。前記ＴＶホームショッピングを通じた多者間商品販売コンテストは生放送で進行できる。このとき，前記多者間商品販売のコンテスト進行に関連した事項は，ＴＶホームショッピング企業との提携により変わり得る。
【００７７】
まず，前記多者間商品販売コンテストのための申請が受け付けられることにより，多者間商品販売の競合状況が成立すると，前記多者間商品販売の競合状況を成立した複数販売者が前記多者間商品販売を進行する。前記多者間商品販売コンテストは，複数の商品販売者の少なくとも一人により申請され得る。例えば，総販売者が６名の場合，第１販売者が商品販売申請の際に，多者間商品販売のコンテスト項目に５名の商品販売者或いは５個の商品ブランドを記載してホームショッピングの運営者に申請することができる。そうすると，前記ホームショッピングの運営者が残りの５名の商品販売者に，前記商品販売コンテストの申請内容を伝達することができる。この後，前記５名の販売者から前記商品販売コンテストの申請が受諾されると，前記多者間商品販売コンテストが行われ得る。
【００７８】
一方，前記多者間商品販売コンテストの申請は，ホームショッピングの運営者或いは購買者（視聴者を含む）の推薦により行われ得る。例えば，前記ホームショッピングの運営者或いは購買者が数個のブランド或いは商品に対して商品販売コンテストを推薦することができる。そうすると，前記ホームショッピングの運営者が，前記推薦されたブランド或いは商品の販売者にそれぞれ前記多者間商品販売コンテストを提案し，前記コンテストを提案された販売者から前記多者間商品販売コンテストが受諾されることにより，前記多者間商品販売コンテストが進行できる。
【００７９】
この後，前記多者間商品販売が進行して一定時間が経過すると，前記ホームショッピングの運営者は，前記複数販売者それぞれの販売実績を考慮して販売結果を分析することができる。このとき，販売結果は前記ＴＶホームショッピングを通じて多者間商品販売コンテストを進行する別途のショッピングホストにより分析され得る。
【００８０】
そして，前記ホームショッピングの運営者が，前記分析された販売結果に基づいて前記複数販売者の商品販売順位を選定することができる。前記販売者の商品販売順位は，総注文額または総販売額を基準に選定され得る。
【００８１】
この後，前記複数販売者の商品を購買した購買者に，前記選定された商品販売順位に対応するように恩恵が差等的に与えられ得る。このとき，前記購買者に前記差等的に与えられる恩恵は，マイレージ及び積立金の積立，割引適用，クーポン提供などが含まれ得る。因みに，前記商品販売結果，前記商品販売順位に対応するように，前記複数販売者に所定の勝利ボーナスが支給され得る。このとき，前記勝利ボーナスには，販売手数料の引下げ及び広告優先権などの恩恵などが含まれ得る。このとき，前記選定された順位が低い販売者の場合，一定期間の間，下位順位に該当する販売者には，一定期間の販売禁止，相対的に高い手数料率などのペナルティーが賦課され得る。
【００８２】
今まで本発明の具体的な具現例を図面を参照に説明したが，これは本発明が属する技術分野で平均的な知識を有する者が容易に理解できるようにするためのものであり，発明の技術的範囲を制限するためのものではない。従って，本発明の技術的範囲は，特許請求の範囲に記載された事項により決められ，図面を参照に説明した具現例は，本発明の技術的思想の範囲内においての変形，修正は任意である。
【符号の説明】
【００８３】
１１０  第１販売者
１２０  第２販売者
１３０  推薦者
１４０  サーバー
１５０  購買者
１６０  媒体
２１０  通信部
２２０  制御部
２３０  データベース部
２４０  ディスプレイ部
【図１】
2010277569.tif 000003
【図２】
2010277569.tif 000004
【図３】
2010277569.tif 000005
【図４】
2010277569.tif 000006
【図５】
2010277569.tif 000007
【図６】
2010277569.tif 000008
【図７】
2010277569.tif 000009
【図８】
2010277569.tif 000010
【図９】
2010277569.tif 000011
【図１０】
2010277569.tif 000012
【図１１】
2010277569.tif 000013
【図１２】
2010277569.tif 000014
【図１３】
2010277569.tif 000015
【図１４】
2010277569.tif 000016
【図１５】
2010277569.tif 000017
【図１６】
2010277569.tif 000018